(57)【特許請求の範囲】
【請求項１】
仕切りにより区画された２つの収納部を有し、一方の収納部は小径の球状粒子を多数収納するように、他方の収納部は大径の球状粒子を多数収納するようになっており、それらの収納部は収納した球状粒子が一つずつ通過できるように先の方が細くなるとともに、先端にはそれぞれの球状粒子が一つだけ入る取出し口を有している容器本体と、それぞれの球状粒子の取出し口を同時に開ける開位置とそれらの取出し口を同時に覆う閉位置との間で容器本体に対してスライド可能な蓋体とからなり、閉位置では大小２種類の球状粒子がそれぞれの収納部内においてそれぞれの取出し口のところに移動可能で、開位置では大小２種類の球状粒子がそれぞれの収納部内においてそれぞれの取出し口のところに移動できないように蓋体の裏側に２本のリブが突出形成されており、各リブの長さがそれぞれ球状粒子の直径の２／３程度とされ、各リブにおいて球状粒子に当接する部分がその球状粒子に合うように窪ませられたことを特徴とする振出し容器。
【発明の詳細な説明】
【０００１】
【発明の属する技術分野】
本発明は、菓子類やその他の粒状物を収納し、これを小出しできるようにした振出し容器の技術分野に属するものである。
【０００２】
【従来の技術】
従来、この種の振出し容器としては、片手で把持できる程度のサイズ、すなわち携帯可能なサイズをしたプラスチック製容器であって、中に粒状の菓子類を収納したものが多く出回っている。そして、通常これらの容器は、指先やもう一方の手で容器の一部をスライドするか、或いは回転することで取出し口を形成し、その取出し口を下向きにして手のひらで受けるようにし、中に収納されている粒子をそこから振り出すようになっている。
【０００３】
【発明が解決しようとする課題】
上記した従来の振出し容器は、形成した取出し口を下側にして中身を振り出そうとすると、その取出し口から中の粒子が次々と出てしまう。特に、形が球状をした粒子についてはその傾向が著しい。そして、粒子が必要以上に出ると、容器の中に戻したりするのが面倒である。このような事態を招かないようにするには、手のひらで受けながら注意深く小刻みに振るようにするが、所定の数だけ取り出すようにするのは困難である。
【０００４】
本発明は、上記のような事情に鑑みてなされたものであり、その目的とするところは、所定数の球状粒子だけを取り出すことができ、しかも、大小２種類の球状粒子を同時に取り出すことができるようにした振出し容器を提供することにある。
【０００５】
【課題を解決するための手段】
上記の目的を達成するため、本発明の振出し容器は、仕切りにより区画された２つの収納部を有し、一方の収納部は小径の球状粒子を多数収納するように、他方の収納部は大径の球状粒子を多数収納するようになっており、それらの収納部は収納した球状粒子が一つずつ通過できるように先の方が細くなるとともに、先端にはそれぞれの球状粒子が一つだけ入る取出し口を有している容器本体と、それぞれの球状粒子の取出し口を同時に開ける開位置とそれらの取出し口を同時に覆う閉位置との間で容器本体に対してスライド可能な蓋体とからなり、閉位置では大小２種類の球状粒子がそれぞれの収納部内においてそれぞれの取出し口のところに移動可能で、開位置では大小２種類の球状粒子がそれぞれの収納部内においてそれぞれの取出し口のところに移動できないように蓋体の裏側に２本のリブが突出形成されており、各リブの長さがそれぞれ球状粒子の直径の２／３程度とされ、各リブにおいて球状粒子に当接する部分がその球状粒子に合うように窪ませられたことを特徴とする。
【０００８】
【発明の実施の形態】
以下、図面を参照して本発明の実施形態を説明する。
【０００９】
図１は本発明に係る振出し容器を構成する容器本体と蓋体とを離間状態で示す概略構成図、図２は図１に示す振出し容器の取出し口を閉じた状態と開けた状態を示す説明図である。この振出し容器は、中に２種類の球状粒子を入れるタイプで、図１に示す容器本体１０と蓋体２０はいずれもプラスチックの射出成形品からなっており、手で把持できる形態サイズに設計されている。また、この例では蓋体２０が透明プラスチックで中が見えるようになっている。
【００１０】
容器本体１０は、中央を走る仕切り１１により区画された２つの収納部１２，１３を有している。一方の小さい方の収納部１２には直径５ｍｍの球状粒子Ａが２０個収納され、もう一方の大きい方の収納部１３には直径６ｍｍの球状粒子Ｂが２０個収納されるようになっている。そして、各収納部１２，１３は先の方が細くなっており、この部分はそれぞれ球状粒子Ａ，Ｂが一つずつ通過でき、しかもその先端に球状粒子Ａ，Ｂが一つだけ入るスペースがあり、ここが取出し口１４，１５となるものである。
【００１１】
蓋体２０は、天面部２１とその両サイドに側面部２２，２３を備え、さらに天面部２１と両側面部２２，２３とを繋ぐ後面部２４を備えた形状で、容器本体１０の収納部１２，１３を覆うようにして容器本体１０の上に被せられる。そして、側面部２２，２３の下端には内向きに曲げ部２２ａ，２３ａが突設してあり、この部分が容器本体１０の底面に嵌合することで、容器本体１０に対して前後にスライド可能になる。さらに、蓋体２０の天面部２１の裏側には、図示のような凸部２５が形成してあり、この凸部２５が容器本体１０の後壁部１６に当接することで、図２（ｂ）に示すように、収納部１２，１３の先端の取出し口１４，１５を開ける開位置となる。また、蓋体２０の後面部２４が容器本体１０の後壁部１６に当接することで、図２（ａ）に示すように、蓋体１０の天面部２１が取出し口１４，１５を覆う閉位置となる。
【００１２】
蓋体２０には、その天面部２１の裏側に２本のリブ２６，２７が突出形成されている。このリブ２６，２７は、図２（ａ）に示す閉位置では、取出し口１４，１５のところに球状粒子Ａ，Ｂが移動可能で、図２（ｂ）に示す開位置では、取出し口１４，１５のところに球状粒子Ａ，Ｂが移動できないような位置に設けられている。また、それぞれ球状粒子の直径の２／３程度の長さで設けられている。なお、リブ２６，２７において球状粒子に当接する部分はその球形形状に合うように窪ませておくと、球状粒子が通過する際の引っ掛かりが少なくなって流れがスムーズになる。
【００１３】
上記の構成からなる振出し容器は、蓋体２０をスライドして開けると、２つ目以降の球状粒子はリブ２６，２７により引き戻され、取出し口１４，１５のところに移動できないので出てこない。すなわち、蓋体２０をスライドさせて球状粒子Ａ，Ｂを１粒ずつ２粒だけ取り出すことができる。
【００１４】
【発明の効果】
以上説明したように、本発明の振出し容器は、仕切りにより区画された２つの収納部を有し、一方の収納部は小径の球状粒子を多数収納するように、他方の収納部は大径の球状粒子を多数収納するようになっており、それらの収納部は収納した球状粒子が一つずつ通過できるように先の方が細くなるとともに、先端にはそれぞれの球状粒子が一つだけ入る取出し口を有している容器本体と、それぞれの球状粒子の取出し口を同時に開ける開位置とそれらの取出し口を同時に覆う閉位置との間で容器本体に対してスライド可能な蓋体とからなり、閉位置では大小２種類の球状粒子がそれぞれの収納部内においてそれぞれの取出し口のところに移動可能で、開位置では大小２種類の球状粒子がそれぞれの収納部内においてそれぞれの取出し口のところに移動できないように蓋体の裏側に２本のリブが突出形成されており、各リブの長さがそれぞれ球状粒子の直径の２／３程度とされ、各リブにおいて球状粒子に当接する部分がその球状粒子に合うように窪ませられた構成としたので、取出し時に際して蓋体をスライドして開位置とすることにより、大小２種類の球状粒子がそれぞれの取出し口に一つずつ位置し、それ以外の球状粒子は取出し口に移動できないことから、大小２種類の球状粒子を一回の取出し操作で一つずつ正確にかつスムーズに取り出すことができる。
【図面の簡単な説明】
【図１】本発明に係る振出し容器を構成する容器本体と蓋体とを離間状態で示す概略構成図である。
【図２】図１に示す振出し容器の取出し口を閉じた状態と開けた状態を示す説明図である。
【符号の説明】
１０  容器本体
１１  仕切り
１２，１３  収納部
１４，１５  取出し口
１６  後部壁
２０  蓋体
２１  天面部
２２，２３  側面部
２２ａ，２３ｂ  曲げ部
２４  後面部
２５  凸部
２６，２７  リブ
【図１】
0004641332.tif 000002
【図２】
0004641332.tif 000003